【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
コードで補強された押出物を押し出すための押出機ヘッドであって、
前記押出機ヘッドは、前記コードおよび押出材をコード方向に受ける型と、前記コードを前記コード方向と平行に、コード平面に並べて前記型に入れるようにガイドするコードガイドとを備え、
前記押出機ヘッドは、前記押出機ヘッドを通って第１の流れ通路に沿って延び、前記コード平面の第１の側から前記型に向かって前記型に通じる第１の流路と、前記押出機ヘッドを通って第２の流れ通路に沿って延び、前記コード平面の前記第１の側の反対側にある第２の側から前記型に向かって前記型に通じる第２の流路と、をさらに備え、
前記第１の流れ通路および前記第２の流れ通路は、それぞれ、供給部と、前記供給部の下流にある断面が広がったハンガー様部分とを備え、
前記第１の流れ通路と、前記第２の流れ通路とは、そのそれぞれの前記ハンガー様部分において、それぞれの前記ハンガー様部分の少なくとも７０パーセントに沿って、前記コード平面に対して８５〜９５度の第１の範囲内の角度で延びる
押出機ヘッド。
【請求項２】
前記第１の流れ通路と、前記第２の流れ通路とが、そのそれぞれの前記ハンガー様部分において、かつ前記コード平面まで、前記各ハンガー様部分の少なくとも７０パーセントに沿って、前記コード平面に対して前記第１の範囲内の角度で延びる
請求項１に記載の押出機ヘッド。
【請求項３】
前記第１の範囲が、８８〜９２度である
請求項１または２に記載の押出機ヘッド。
【請求項４】
前記第１の流れ通路および前記第２の流れ通路が、前記各ハンガー様部分において、前記コード平面に垂直に延びる
請求項１〜３のいずれか一項に記載の押出機ヘッド。
【請求項５】
前記第１の流れ通路および前記第２の流れ通路が、前記各ハンガー様部分の少なくとも８０パーセントに沿って、または少なくとも９０パーセントに沿って、前記コード平面に対して前記第１の範囲内で延びる
請求項１〜４のいずれか一項に記載の押出機ヘッド。
【請求項６】
前記第１の流れ通路および前記第２の流れ通路が、前記各ハンガー様部分の全体において、前記コード平面に対して前記第１の範囲内で延びる
請求項１〜５のいずれか一項に記載の押出機ヘッド。
【請求項７】
前記ハンガー様部分が、前記コード平面に垂直な方向に型に通じる
請求項１〜６のいずれか一項に記載の押出機ヘッド。
【請求項８】
前記コードガイドが、少なくとも部分的に前記型の中に延びる先端を有し、
前記先端が、前記コード平面の前記第１の側および前記第２の側のそれぞれに延びて、前記コード方向に前記型に面する、第１の偏向面と、第２の偏向面とを備え、
前記第１の流路、および前記第２の流路の前記ハンガー様部分は、前記コード平面に垂直な方向に、それぞれ前記第１の偏向面、および前記第２の偏向面に通じ、
前記第１の偏向面、および前記第２の偏向面は、前記押出材を、前記第１の流路、および前記第２の流路から前記型に向かって、かつ／または前記型の中に、それぞれ偏向させるように配置される
請求項１〜７のいずれか一項に記載の押出機ヘッド。
【請求項９】
前記第１の偏向面と、前記第２の偏向面とが、前記各ハンガー様部分と、前記コード平面とに接する
請求項８に記載の押出機ヘッド。
【請求項１０】
前記押出機ヘッドが、コード方向およびコード平面に対して交差して又は垂直に延びる合わせ面を有し、
前記第１の流路、および前記第２の流路の前記ハンガー様部分が、周壁をそれぞれ備え、
前記各流路の前記押出機ヘッドが、前記各流路の前記周壁を形成するために、合わせ面の両側で互いに当接して配置されるように構成された、第１のハンガー様半体と、第２のハンガー様半体とを備える
請求項１〜９のいずれか一項に記載の押出機ヘッド。
【請求項１１】
前記合わせ面が、前記コード平面、および前記コード方向と交差して、またはこれらに垂直に延びる
請求項１０に記載の押出機ヘッド。
【請求項１２】
前記第１の流れ通路および前記第２の流れ通路が、前記各ハンガー様部分の少なくとも７０パーセントに沿って、前記合わせ面と平行に延びる
請求項１０または１１に記載の押出機ヘッド。
【請求項１３】
前記第１の流れ通路、および前記第２の流れ通路が、前記各ハンガー様部分で、前記合わせ面と交差する、かつ／または前記合わせ面内に少なくとも部分的に延びる
請求項１０に記載の押出機ヘッド。
【請求項１４】
前記各流路の前記周壁が、前記各ハンガー様部分の少なくとも７０パーセントに沿って、前記合わせ面に関して対称である
請求項１０〜１３のいずれか一項に記載の押出機ヘッド。
【請求項１５】
前記各ハンガー様部分における、前記周壁の表面積の少なくとも７０パーセントが、前記コード平面に対して前記第１の範囲内に延びる
請求項１０〜１４のいずれか一項に記載の押出機ヘッド。
【請求項１６】
前記第１のハンガー様半体と、前記第２のハンガー様半体とが、前記コード方向と平行な分離方向に分離可能な
請求項１０〜１５のいずれか一項に記載の押出機ヘッド。
【請求項１７】
前記押出機ヘッドが、前記型を保持または形成する第１のヘッド部材と、前記コードガイドを保持または形成する第２のヘッド部材とを備え、
前記第１のハンガー様半体が、前記第１のヘッド部材で形成され、
前記第２のハンガー様半体が、前記第２のヘッド部材で形成される
請求項１０〜１６のいずれか一項に記載の押出機ヘッド。
【請求項１８】
前記押出機ヘッドが、前記型を保持または形成する第１のヘッド部材と、前記コードガイドを保持または形成する第２のヘッド部材とを備え、
前記第１のハンガー様半体が、前記第１のヘッド部材で保持される挿入体であり、
前記第２のハンガー様半体が、前記第２のヘッド部材で保持される挿入体である
請求項１０〜１６のいずれか一項に記載の押出機ヘッド。
【請求項１９】
前記第１のヘッド部材と、前記第２のヘッド部材とが、前記コード平面と平行な分離方向に分離可能な
請求項１８に記載の押出機ヘッド。
【請求項２０】
前記第１のヘッド部材と、前記第２のヘッド部材とが、前記合わせ面の両側で互いに当接して配置されるように構成される
請求項１８または１９に記載の押出機ヘッド。
【請求項２１】
前記第１のハンガー様半体と前記第２のハンガー様半体が、前記コード方向に平行な分離方向に分離可能であり、
前記押出機ヘッドが、前記合わせ面で延びる逃がし溝を備え、
前記第１のヘッド部材と、前記第２のヘッド部材とが前記合わせ面で当接していると、前記逃がし溝が前記第１の流路、および前記第２の流路から分離され、
前記第１のヘッド部材と、前記第２のヘッド部材とが前記分離方向に分離されると、前記逃がし溝が前記第１の流路、または前記第２の流路と流体連通する
請求項１７に記載の押出機ヘッド。
【請求項２２】
前記押出機ヘッドが、前記合わせ面で延びる逃がし溝を備え、
前記挿入体が前記合わせ面で当接していると、前記逃がし溝が前記挿入体によって前記第１の流路、および前記第２の流路から分離され、
前記挿入体が前記分離方向に分離されると、前記逃がし溝が前記第１の流路、または前記第２の流路と流体連通する
請求項１８に記載の押出機ヘッド。
【請求項２３】
前記ヘッド部材が、前記挿入体が前記分離方向に分離している間に、前記逃がし溝の外側で互いに当接したままになるように配置される
請求項２２に記載の押出機ヘッド。
【請求項２４】
前記第２のヘッド部材が、前記コード平面の前記第１の側に第１のケーシング部材を備え、かつ前記コード平面の前記第２の側に第２のケーシング部材を備え、
前記第１のケーシング部材と、前記第２のケーシング部材とが、前記コードガイドを受けるための受入空間を共に形成し、
前記第１のケーシング部材と、前記第２のケーシング部材とは、前記コード平面に垂直な法線方向に分離できない
請求項１７〜２３のいずれか一項に記載の押出機ヘッド。
【請求項２５】
前記型が、前記コード平面の前記第１の側にある第１の型部材と、前記コード平面の前記第２の側にある第２の型部材とを備え、
前記第１の型部材と、前記第２の型部材とが、前記押出物を前記押出機ヘッドから出す型開きを共に形成し、
前記第１の型部材と、前記第２の型部材とは、前記コード平面に垂直な法線方向に分離できない
請求項１〜２４のいずれか一項に記載の押出機ヘッド。
【請求項２６】
前記コードガイドが、前記押出機ヘッドにおいて作動位置に出入りするように、前記コード方向、および前記コード方向とは反対の摺動方向にそれぞれ摺動可能な
請求項１〜２５のいずれか一項に記載の押出機ヘッド。
【請求項２７】
前記押出機ヘッドが、前記コードガイドが前記作動位置にあるときに、前記コードガイドが摺動方向に摺動しないようロックするように配置された、ロック部材をさらに備える
請求項２６に記載の押出機ヘッド。
【請求項２８】
前記コードガイドが、前記コード平面の前記第１の側にある第１のガイド部材と、前記コード平面の前記第２の側にある第２のガイド部材とを備え、
前記第１のガイド部材、および前記第２のガイド部材のうちの１つが、前記コード平面と平行に、かつ前記コード方向に垂直に横方向に並べて配置された、複数の交換可能なガイドブロックを備え、
前記各ブロックが、前記コード平面で、かつ前記コード平面と平行に前記コード方向に延びる、前記コードを受けるための複数のガイド溝を備える
請求項１〜２７のいずれか一項に記載の押出機ヘッド。
【請求項２９】
前記押出機ヘッドが、前記コードガイドの１つ以上の前記ガイドブロックと交換するために、１組の交換ブロックをさらに備え、
前記交換ブロックの少なくとも１つが、前記コードガイドの前記ガイドブロックと同じ、複数のガイド溝を有する
請求項２８に記載の押出機ヘッド。
【請求項３０】
前記押出機ヘッドが、前記コードガイドの１つ以上の前記ガイドブロックと交換するために、１組の交換ブロックをさらに備え、
前記交換ブロックの少なくとも１つが、前記コードガイドの前記ガイドブロックとは、数または形状が異なるガイド溝を有する
請求項２８に記載の押出機ヘッド。
【請求項３１】
前記複数のガイド溝が、２つの直接隣接する前記ガイドブロックによって画定された、少なくとも１つのガイド溝を含む
請求項２８〜３０のいずれか一項に記載の押出機ヘッド。
【請求項３２】
請求項１〜３１のいずれか一項に記載の前記押出機ヘッドを使用して、前記コードで補強された押出物を押し出す方法であって、
前記方法は、加圧した前記押出材を前記第１の流路、および前記第２の流路に供給するステップと、前記各ハンガー様部分において、前記コード平面と平行な方向に、前記加圧した押出材によって生成された加圧力を吸収するステップとを含む
方法。